(57)【特許請求の範囲】
【請求項１】
搬送方向と直交する方向の端部に輪転機の版胴に装着するための所定形状の曲げが施された曲げ部が形成されて供給される印刷版を、搬送方向側が水平方向に対して所定の角度で傾斜するように載置して集積する印刷版集積装置であって、前記印刷版を所定の角度で傾斜した状態で載置する印刷版載置部と、前記供給される印刷版を前記印刷版載置部での印刷版の傾斜角度と略同じ角度に傾斜させることにより、前記印刷版載置部へ受け渡す受渡し手段と、前記印刷版載置部に設けられて、前記印刷版の搬送方向と直交する方向の中間部に当接して支持することにより前記印刷版を略凸状となるように湾曲させる印刷版支持部と、を含むことを特徴とする印刷版集積装置。
【請求項２】
前記印刷版載置部に前記所定の角度で傾斜されて配置され、上面に前記印刷版を載置可能な載置板と、前記載置板の下端に設けられて前記受渡し手段によって受け渡されて前記載置板に載置される前記印刷版の下端部を支持する受け板と、前記受渡し手段として設けられて前記供給される印刷版の搬送方向に沿った一端部を前記受け板に当接させて支持し、前記印刷版を前記載置板に対向するように揺動させて傾倒する可動シュートと、を備え、前記印刷版支持部が前記載置板と略平行に配置された支持板を含み、前記支持板が前記印刷版に当接して印刷版を凸状に湾曲させて支持することを特徴とする請求項１に記載の印刷版集積装置。
【請求項３】
前記支持板と前記受け板のなす角度が９０°以下であることを特徴とする請求項２に記載の印刷版集積装置。
【請求項４】
前記支持板の前記載置板からの突出高さが集積する前記印刷版の枚数及び前記印刷版の曲げ高さに基づいて設定されることを特徴とする請求項２または請求項３に記載の印刷版集積装置。
【請求項５】
前記受け板から前記支持板の上端までの高さが前記受け板に当接する印刷版の端部から前記曲げ部に形成される切り欠き位置までの長さ寸法よりも高いことを特徴とする請求項２から請求項４の何れかに記載の印刷版集積装置。
【請求項６】
前記支持板の前記印刷版に対向する面に緩衝部材を設けていることを特徴とする請求項２から請求項５の何れかに記載の印刷版集積装置。
【発明の詳細な説明】
【０００１】
【発明の属する技術分野】
本発明は、天地方向の両端部などに版曲げ処理が施されて排出される印刷版を順次受け取って、集積する印刷版集積装置に関する。
【０００２】
【従来の技術】
新聞印刷等には、アルミニウム等によって形成した薄肉矩形形状の支持体に感光層を形成した感光性平版印刷版（以下「印刷版」と言う）が用いられる。この印刷版を用いて印刷用の刷版を作成する場合、印刷版に画像露光を施した後に現像処理し、位置決め用のパンチ孔ないし切り欠きを穿設した後に、輪転機の版胴に装着するための版曲げ処理が施される。
【０００３】
多量の刷版を作成する印刷工場では、印刷版への画像露光、現像処理及びパンチ、版曲げ処理を行う製版システムが用いられており、この製版システムによってパンチ・版曲げ処理までが施されて排出される印刷版を集積装置によって順次集積して、まとめて新聞印刷用の輪転機まで運ぶようにしている。
【０００４】
版曲げ装置では、印刷版の天地方向の両端部に版曲げ処理を施すと、天地方向と直交する方向である印刷版の幅方向に沿って搬送して、印刷版を排出する。
【０００５】
一方、印刷版集積装置には、例えば平板状の受け台を傾斜させて配置し、幅方向に沿って排出される印刷版を受け取ると、天地方向が横方向となるようにして、受け台に載せ、印刷版を斜めに立てかけた状態で集積するようにしている。このようにして集積することにより、例えば縦横に新聞２頁分ずつの画像が記録可能な所謂２Ｌ２Ｗサイズの印刷版でも狭いスペースで集積することができるようにしている。
【０００６】
ところで、版曲げ処理では、印刷版の天地方向の端部を９０°以上折り曲げることがある。このように大きく折り曲げた印刷版を、例えば、印刷版の感光面である画像記録面を下側へ向けて重ねる場合、既に集積されている印刷版の折り曲げ部分が上方に向いて、中央部より上方側に突出した状態となっている。
【０００７】
このために、新たな印刷版を積み重ねるときには、折り曲げ部分の先端が先に、新たな印刷版の画像記録面に当接することになり、新たな印刷版の中央部が既に集積されている印刷版に載るときまでの間に、折り曲げ部分の先端と画像記録面との間に擦れや引っ掻き等が生じて、新たに集積される印刷版の画像記録面を損傷させてしまうことがある。
【０００８】
【発明が解決しようとする課題】
本発明は上記事実に鑑みてなされたものであり、版曲げ処理の終了した印刷版を集積するときに、印刷版の画像記録面を損傷させてしまうことがない印刷版集積装置を提案することを目的とする。
【０００９】
【課題を解決するための手段】
上記目的を達成するために本発明は、搬送方向と直交する方向の端部に輪転機の版胴に装着するための所定形状の曲げが施された曲げ部が形成されて供給される印刷版を、搬送方向側が水平方向に対して所定の角度で傾斜するように載置して集積する印刷版集積装置であって、前記印刷版を所定の角度で傾斜した状態で載置する印刷版載置部と、前記供給される印刷版を前記印刷版載置部での印刷版の傾斜角度と略同じ角度に傾斜させることにより、前記印刷版載置部へ受け渡す受渡し手段と、前記印刷版載置部に設けられて、前記印刷版の搬送方向と直交する方向の中間部に当接して支持することにより前記印刷版を略凸状となるように湾曲させる印刷版支持部と、を含むことを特徴とする。
【００１０】
この発明によれば、例えば印刷版の天地方向に沿った両端部に曲げ部が形成されているときに、この天地方向の中間部が凸となるように印刷版を湾曲させて支持する印刷版支持部を設けている。
【００１１】
これにより、印刷版支持部に支持されて載置されている印刷版に、次の印刷版を重ねて載置するときに、新たに載置する印刷版は、天地方向の中間部が既に載置されている印刷版に当接した後に、曲げ部側が当接することになり、隣接する印刷版の一方の曲げ部の先端が他方の印刷版に接触するときに、擦れ合うのを防止でき、曲げ部の先端によって印刷版を損傷させてしまうことなく集積することができる。
【００１２】
請求項２に係る発明は、前記印刷版載置部に前記所定の角度で傾斜されて配置され、上面に前記印刷版を載置可能な載置板と、前記載置板の下端に設けられて前記受渡し手段によって受け渡されて前記載置板に載置される前記印刷版の下端部を支持する受け板と、前記受渡し手段として設けられて前記供給される印刷版の搬送方向に沿った一端部を前記受け板に当接させて支持し、前記印刷版を前記載置板に対向するように揺動させて傾倒する可動シュートと、を備え、前記印刷版支持部が前記載置板と略平行に配置された支持板を含み、前記支持板が前記印刷版に当接して印刷版を凸状に湾曲させて支持することを特徴とする。
【００１３】
この発明によれば、受け板に搬送方向の端部を当接させた状態で印刷版を支持した可動シュートを回動させ、印刷版を載置板に対向させて載置板に受け渡す。この載置板には、印刷版の天地方向の中間部に対向して支持板を配置し、この支持板に印刷版の天地方向の中間部が当接することにより、印刷版を略凸状に湾曲させる。これにより、印刷版を簡単にかつ確実に略凸状となるように集積することができる。
【００１４】
このような本発明の印刷版集積装置では、前記支持板と前記受け板のなす角度が９０°以下であることが好ましい。
【００１５】
これによれば、可動シュートに支持して載置板に略平行に対向するように回動させた印刷版が、印刷版支持部に当接下後、印刷版が湾曲するときに、印刷版の下端部が受け板に引っ掛かるのを防止でき、印刷版を載置板に対して略平行状態を保ったまま移動させることができる。
【００１６】
これにより、印刷版は、天地方向の中間部を天地方向の両端部より先に、確実に支持板ないし凸状に湾曲された印刷版の天地方向の中間部に当接させることができる。
【００１７】
また、本発明の印刷版集積装置としては、前記支持板の前記載置板からの突出高さが集積する前記印刷版の枚数及び前記印刷版の曲げ高さに基づいて設定されることが好ましい。
【００１８】
印刷版を集積する場合、曲げ部によって天地方向の両端部の厚みの増加が天地方向の中央部よりも極端に大きくなる。このとき、支持板の載置板からの突出高さを、曲げ部の突出高さと、集積する印刷版の枚数によって決定すれば、印刷版が所定枚数に達するまでは、略凸状となるように集積でき、印刷版の曲げ部が中間部よりも先に隣接する印刷版に当接してしまうのを確実に防止することができる。
【００１９】
さらに、本発明の印刷版集積装置としては、前記受け板から前記支持板の上端までの高さが前記受け板に当接する印刷版の端部から前記曲げ部に形成される切り欠き位置までの長さ寸法よりも高いことが好ましい。
【００２０】
印刷版の搬送方向の一端を受け板に当接させて傾斜させた場合、少なくとも印刷版の搬送方向に沿った寸法よりも、支持板の高さが高ければ、集積する印刷版に折れ等の集積不良が生じるのを防止できる。
【００２１】
一方、印刷版の搬送方向に沿った長さよりも支持板の高さが低い場合は、印刷版を傾斜させた状態で支持すると、支持板の上端部に当接する位置から上方側で、印刷版が自重によって捩れや折れ等が生じ易くなる。この捩れ等が生じ易い領域に切り欠きが形成されていると、切り欠きの周囲が捩れによって変形し易くなる。
【００２２】
このような印刷版の切り欠きの位置を支持板の上端部よりも下げることにより、印刷版に切り欠きの周囲で損傷が生じるのを防止することができる。
【００２３】
また、本発明では、前記支持板の前記印刷版に対向する面に緩衝部材を設けることが好ましい。
【００２４】
印刷版の天地方向の中間部を先に支持板に当接させて印刷版を略凸状に湾曲させる場合、作業者が印刷版を取り出すときに擦ってしまったり印刷版と支持板の間で擦れが生じたり、印刷版が支持板に当接するときに衝撃を受けることがある。このとき、支持板に緩衝部材を設けて、印刷版が支持板に当接するときの衝撃を緩和したり、印刷版が湾曲するときに印刷版と支持板との間に擦れが生じるのを防止することにより、載置板に印刷版の感光層側を向けて集積しても、印刷版の感光層側の面に損傷が生じるのを防止できる。
【００２５】
このような緩衝部材としては、柔らかくかつ弾力性に富む材質であれば、任意の材質を用いることができる。
【００２６】
【発明の実施の形態】
以下に図面を参照しながら本発明の実施の形態を詳細に説明する。
【００２７】
図１には、本実施の形態に適用した印刷版集積装置１０が示されている。この印刷版集積装置１０は、例えば製版システム１４のパンチ／版曲げ装置１６に隣接して配置され、パンチ／版曲げ装置１６から排出される感光性平版印刷版（以下「印刷版１２」と言う）を集積する。
【００２８】
製版システム１４は、図示しない画像焼付装置及び現像処理装置を備えており、画像焼付装置によって画像焼付けを行った印刷版１２を、現像処理装置によって現像処理した後に、パンチ／版曲げ装置１６へ送り込む。パンチ／版曲げ装置１６は、パンチ部１８と版曲げ部２０によって構成されており、パンチ部１８では、印刷版１２の所定の位置に切り欠きないしパンチ孔を穿設する。また、版曲げ部２０では、印刷版２０を印刷用の輪転機に装着するための版曲げ処理を施す。なお、パンチ／版曲げ装置１６でなく、パンチ部１８が設けられたパンチ装置と、版曲げ部２０が設けられた版曲げ装置によって構成されるもの、あるいは版曲げ装置だけで構成されるものであっても良い。
【００２９】
図２（Ａ）及び図２（Ｂ）に示されるように、印刷版１２は、例えばアルミニウム等によって形成された薄肉矩形形状の支持体に感光層が形成されている。製版システム１４では、この感光層に画像を焼付ける（以下この面を「画像記録面２２」と言う）。
【００３０】
なお、印刷版１２には、例えば新聞１頁分の画像２２Ａが焼付けられ、以下では、矢印Ｌ方向を天地方向、矢印Ｗ方向を幅方向としている。また、本実施の形態では、一例として画像２２Ａが縦に並べて焼付けられる所謂２Ｌ１Ｗサイズの印刷版１２を用い、印刷版集積装置１０でこの印刷版１２を集積するように説明するが、本発明が適用される印刷版集積装置としては、これ以外の例えば、新聞１頁分の画像２２Ａを焼付け可能な１Ｌ１Ｗサイズや、新聞１頁分の画像２２Ａを縦横に並べて焼付け可能な２Ｌ２Ｗサイズ等の任意のサイズの印刷版の集積に用いるものであっても良く、また、２Ｌ２Ｗサイズと２Ｌ１Ｗサイズの印刷などのように、天地方向に沿った長さが同じ印刷版を混載して集積するものであっても良い。
【００３１】
図２（Ａ）に示されるように、印刷版１２は、パンチ／版曲げ装置１６のパンチ部１８で、天地方向の両端部の所定の位置に切り欠き（以下「ノッチ２４Ａ、２４Ｂ」と言い、図２（Ｂ）では図示省略）が穿設される。このノッチ２４Ａ、２４Ｂの穿設位置は、印刷版１２の幅方向に沿った中間部となっており、例えば、印刷版１２の幅寸法をｗ0とした時に、ノッチ２４Ａ、２４Ｂの穿設位置は、幅方向の端部からｗ0／２としている。
【００３２】
図２（Ａ）及び図２（Ｂ）に示されるように、印刷版１２は、ノッチ２４Ａ、２４Ｂが穿設されると、天地方向の端部がそれぞれ画像記録面２２と反対側へ向けて折り曲げられ、曲げ部２６Ａ、２６Ｂが形成される。曲げ部２６Ａは、印刷版１２を輪転機の版胴に装着するときのクワエ側となり角度θ1が例えば５０°（θ1＝５０°）となるように折り曲げられる。また、曲げ部２６Ｂは、クワエ尻側となり例えば角度θ2（例えばθ2＝１６０°）に折り曲げられた後に、さらに先端側が角度θ3（例えばθ3＝４０°）となるように折り曲げられる。
【００３３】
パンチ／版曲げ処理が施された印刷版１２は、パンチ／版曲げ装置１６の版曲げ部２０から幅方向に沿って搬送されて排出されることにより、このパンチ／版曲げ装置１６に隣接して配置される印刷版集積装置１０へ送り込まれる。
【００３４】
図３乃至図６には、印刷版集積装置１０の概略構成を示している。この印刷版集積装置１０は、架台３０上に、揺動コンベア３２、可動シュート３４及び載置部３６が設けられている。
【００３５】
架台３０には、製版システム１４のパンチ／版曲げ装置１６側（図３乃至図５の紙面右側）の端部に、台座３８が設けられ、この台座３８から支持脚４０が立設されており、この支持脚４０に揺動コンベア３２が設けられている。なお、印刷版１２は、幅方向に搬送されて、パンチ／版曲げ装置１６から印刷版集積装置１０へ送り込まれるようになっており、図４乃至図６では、紙面表裏方向が印刷版１２の天地方向となっている。
【００３６】
図３に示されるように、この支持脚４０の上端部には、ブラケット４４が設けられ、このブラケット４４に、印刷版１２の天地方向に沿って配設されたシャフト４６の両端部が軸支されている。揺動コンベア３２には、シャフト４６が設けられており、このシャフト４６が、ブラケット４４に挿通されて軸支されている。
【００３７】
図３乃至図６に示されるように、支持脚４０には、搬送モータ４８が取り付けられており、この搬送モータ４８の駆動軸に取り付けられているスプロケット５０とシャフト４６に取付けられているスプロケット５２の間にチェーン５４が巻き掛けられている。
【００３８】
揺動コンベア３２には、複数本の揺動アーム５６が設けられている。揺動アーム５６は、シャフト４６の軸線方向に沿って所定の間隔で配置され、長手方向の一端側にシャフト４６が回転自在に挿通されている。これらの揺動アーム５６は、長手方向の中間部が、印刷版１２の天地方向に沿って配置された連結バー４２によって連結されている。これにより、揺動アーム５６が一体でシャフト４６を軸に回動可能となっている。
【００３９】
揺動アーム５６には、シャフト４６と反対側の端部にプーリ５８が軸支されており、シャフト４６には、プーリ５８に対向してプーリ６０が取り付けられている。このプーリ５８、６０の間には、無端の搬送ベルト６２が巻き掛けられている。この搬送ベルト６２は、上側が揺動アーム５６から上方に突出している。また、揺動アーム５６の先端には、略Ｌ字形状のストッパ６４が取り付けられている。
【００４０】
印刷版集積装置１０では、パンチ／版曲げ装置１６の版曲げ部２０から送り出される印刷版１２を、揺動アーム５６を略水平にした状態で受け取って搬送ベルト６２に掛け渡すように載置する。このとき、印刷版集積装置１０では、搬送モータ４８を駆動して搬送ベルト６２を回転し、印刷版１２をストッパ６４へ向けて移動する。これにより、図４に示されるように、印刷版１２は、幅方向の一端側がストッパ６４に当接した状態で停止される。
【００４１】
一方、図３乃至図６に示されるように、架台３０上の台座３８には、支持脚４０の間にエアシリンダ６６がブラケット６８を介して揺動可能に取り付けられている。このエアシリンダ６６のロッド６６Ａには、揺動アーム５６が連結されている。したがって、揺動コンベア３２では、エアシリンダ６６がロッド６６Ａを伸長させた状態では、揺動アーム５６が略水平に保持されるが（図３及び図４参照）、エアシリンダ６６がロッド６６Ａを収縮することにより、印刷版１２をストッパ６４で支持した状態でシャフト４６を中心にストッパ６４が下方側となるように回動する（図５及び図６参照）。
【００４２】
揺動コンベア３２の下方には、可動シュート３４が配置されている。可動シュート３４には、印刷版１２の天地方向に沿って所定の間隔で配置されている支持アーム７０が設けられている。可動シュート３４の支持アーム７０は、揺動コンベア３２の揺動アーム５６と重ならないように、揺動アーム５６の間に配置されている。
【００４３】
台座３８には、支持脚４０と反対側の端部にブラケット７２が取付けられており、このブラケット７２にシャフト７４が挿通されて軸支されている。また、このシャフト７４は、支持アーム７０の一端側に挿通されて連結されており、これにより、支持アーム７０が台座３８に取付けられ、一体でシャフト７４を中心に回動可能となっている。
【００４４】
可動シュート３４には、エアシリンダ７６が設けられており、このエアシリンダ７６のロッド７６Ａが支持アーム７０の長手方向の中間部に連結されている。また、このエアシリンダ７６は、支持脚４０の間で台座３８に取付けられているブラケット７８に軸支されている。
【００４５】
これにより、可動シュート３４は、エアシリンダ７６がロッド７６Ａを収縮させた状態では、支持アーム７０が支持脚４０側に所定の角度で傾斜した状態で保持される。また、可動シュート３４は、エアシリンダ７６がロッド７６Ａを伸長させることにより、支持アーム７０がシャフト７４を軸に回動し、載置部３６側に傾斜するようになっている。
【００４６】
印刷版集積装置１０では、可動シュート３４の支持アーム７０を支持脚４０側に傾斜させた状態で、揺動コンベア３２を下方へ揺動させる。これにより図５に示されるように、揺動コンベア３２の揺動アーム５６と可動シュート３４の支持アーム７０が交差すると、印刷版１２が支持アーム７０に載せられて可動シュート３４に受け渡される。
【００４７】
図３乃至図６に示されるように、載置部３６は、可動シュート３４に対向して配置されている。
【００４８】
印刷版集積装置１０の架台３０には、支持脚４０と反対側の端部に背板８０が立設されている。載置部３６には、印刷版１２を載置する平板状の載置板８２が設けられており、この載置板８２が、背板８０に立てかけるように支持されて架台３０上に所定の角度に傾斜された状態で取り付けられている。この載置板８２の印刷版１２の天地方向に沿った長さは、集積した印刷版１２の天地方向の端部が載置板８２から突出しないようにするために、略印刷版１２の天地方向に沿った寸法と同じとなっている。これにより、印刷版集積装置１０の近傍を通過する作業員や機材等が印刷版１２に触れて損傷させてしまうのを防止している。
【００４９】
この載置板８２には、架台３０側の下端部に受け板８４が取付けられている。載置部３６では、載置板８２に立て掛けるように載せた印刷版１２の幅方向の端部を受け板８４に載せることにより、印刷版１２を支持するようになっている。
【００５０】
図３に示されるように、受け板８４には、可動シュート３４の支持アーム７０の位置に合わせて切り欠き８４Ａが形成され、図３乃至図６に示されるように、受け板８４は、先端部が切り欠き８４Ａの間で支持アーム７０の間へ入り込んでいる。
【００５１】
これにより、図５に示されるように、印刷版集積装置１０では、揺動コンベア３２の揺動アーム５６が可動シュート３４の支持アーム７０よりも支持脚４０側となることにより、揺動アーム５６に支持されている印刷版１２が、支持アーム７０へ受け渡されると共に、揺動アーム５６に設けているストッパ６４に支持されている印刷版１２の幅方向の端部が支持アーム７０のストッパ７０Ａに載せられ、支持アーム７０が回動したときに載置部３６の受け板８４に載せられる。
【００５２】
図６に示されるように、印刷版集積装置１０では、可動シュート３４で印刷版１２を支持すると、エアシリンダ７６が駆動してロッド７６Ａを伸長し、印刷版１２を支持している可動シュート３４を、支持アーム７０が載置部３６の載置板８２と略平行となるようにシャフト７４を軸に回動する。これにより、ストッパ７０Ａと支持アーム７０に支持されていた印刷版１２は、画像記録面２２を載置板８２に向けた状態で受け板８４上を載置板８２へ向けて移動し、載置板８２に載置される。また、印刷版１２の天地方向に形成されている曲げ部２６Ａ、２６Ｂによって印刷版１２の天地方向の先端は、可動シュート３４側へ向けられている。
【００５３】
印刷版集積装置１０では、印刷版１２が製版システム１０の版曲げ部２０から排出される毎に、この印刷版１２を揺動コンベア３２によって受け取って、可動シュート３４を介して載置部３６の載置板８２上に載せることにより、印刷版１２を載置板８２上に集積する。
【００５４】
ところで、図３乃至図６に示されるように、印刷版集積装置１０の載置部３６には、載置板８２上に印刷版支持部８６が設けられている。図３に示されるように、この印刷版支持部８６は、載置板８２に載置される印刷版１２の天地方向の中間部に配置され、支持板８８が、複数の脚９０によって載置板８２から突出した状態で、載置板８２と略平行となるように取り付けられている。これにより、支持板８８と受け板８４の間の角度φは、９０°以下（φ≦９０°）となっている。
【００５５】
印刷版集積装置１０では、載置板８２に載置する印刷版１２の天地方向の中間部を印刷版支持部８６の支持板８８に当接するようにしている。
【００５６】
支持板８８には、印刷版１２の画像記録面２２に対向する上面に、緩衝部材９２が貼付されている。この緩衝部材９２は、例えばゴム等の弾性材や布材、不織布等が用いられ、この緩衝部材９２が、支持板８８によって印刷版１２の天地方向の中間部を支持するときに、印刷版１２の画像記録面２２に当接して、画像記録面２２に傷等の損傷を生じさせるのを防止している。また、緩衝部材９２は、作業者が印刷版１２を載置部３６から取り出すときに、印刷版１２に擦り傷を生じさせるのを防止している。
【００５７】
図７（Ａ）乃至図７（Ｃ）に示されるように、印刷版１２は、載置板８２に支持板８８が突出されていることにより、天地方向の中間部が支持板８８（緩衝部材９２）に当接した状態で載置板８２に載置される。また、印刷版１２の天地方向の両端部は、自重と支持体の剛性に基づいて天地方向の中間部よりも載置板８２に接近した状態となり、これにより、印刷版１２は、凸状となるように湾曲されて載置される。
【００５８】
また、次に載置板８２に載置される印刷版１２は、天地方向の中間部が支持板８８によって湾曲されて突出している印刷版１２の天地方向の中間部に当接するために、すでに集積されている印刷版１２の湾曲に合わせて凸状に湾曲されて集積される。このとき、既に載置板８２上に集積されている印刷版１２は、新たな印刷版１２が重ねられることにより、徐々に曲率が大きくなる。
【００５９】
この印刷版支持部８６は、受け板８４から支持板８８の上端までの高さＨ1及び、載置板８２の表面から支持板８８までの高さＨ2が、集積する印刷版１２及び印刷版１２の集積枚数に基づいて設定されている。
【００６０】
印刷版集積装置１０では、受け板８４からの高さＨ1を、少なくとも印刷版１２の幅寸法ｗ0の１／２以上となるようにすると共に、印刷版１２に形成しているノッチ２４Ａ、２４Ｂの穿設位置よりも高くなるようにしている。これにより、印刷版１２を支持板８８に支持させたときに、受け板８４側の端部側が浮き上がるようにして倒れてしまうのを防止すると共に、支持板８８にかからない印刷版１２の幅方向の端部側（図４乃至図６の紙面上側）に折れ等が生じるのを防止している。
【００６１】
すなわち、印刷版１２の支持体は薄肉であり、印刷版集積装置１０では、印刷版１２を傾斜させるようにして立てかけて集積するようにしているため、印刷版１２には、支持板８８に当接している下側の面と支持板８８から外れている上側の面の間で折れが生じ易くなる。特に、ノッチ２４Ａ、２４Ｂが形成されている位置では、折れが生じ易いので、印刷版集積装置１０では、このノッチ２４Ａ、２４Ｂの位置が、支持板８８の高さＨ1より低くなるようにしている。
【００６２】
また、印刷版集積装置１０では、載置板８２の表面から支持板８８までのを高さＨ2を、集積する印刷版１２の枚数及び曲げ部２６Ａ、２６Ｂないし曲げ部２６Ａ、２６Ｂの何れか大きい方の曲げ寸法に基づいて設定している。
【００６３】
すなわち、印刷版１２の曲げ部２６Ａ、２６Ｂのうちの大きい方（本実施の形態では曲げ部２６Ａ）の曲げ寸法ｈの印刷版１２を、Ｘ枚まで集積可能とするときには、高さ寸法Ｈ2を、ｈ×Ｘ以上（Ｈ2＜ｈ×Ｘ）となるようにしている。
【００６４】
これにより、印刷版集積装置１０では、所定枚数（Ｘ枚）の印刷版１２を集積するときにも、最上層の印刷版１２に凸状の湾曲が生じるようにしている。なお、本実施の形態に適用した印刷版集積装置１０では、載置板８２からの支持板８８の高さが受け板８４側で最も低くなるように、載置板８２に対して支持板８８が傾斜しており、高さＨ2は、最も低い受け板８４側の寸法としている。
【００６５】
以下に、本実施の形態の作用を説明する。
【００６６】
印刷版１２に画像を焼付けて印刷用の刷版を作成する製版システム１４では、図示しない画像焼付装置によって印刷版１２に画像焼付けを行うと、自動現像装置によって印刷版１２の現像処理を行う。さらに、製版システム１４では、印刷版１２の現像処理が終了すると、この印刷版１２をパンチ／版曲げ装置１６へ送り込む。
【００６７】
パンチ／版曲げ装置１６では、先ず、パンチ部１８で印刷版１２を位置決めして、印刷版１２の天地方向の端部の所定の位置にノッチ２４Ａ、２４Ｂを穿設する。次に、パンチ／版曲げ装置１６では、この印刷版１２を版曲げ部２０へ送り、版曲げ部２０で再度位置決めを行った後に、印刷版１２の天地方向の両端部のそれぞれに版曲げ処理を施し、曲げ部２６Ａ、２６Ｂを形成する。
【００６８】
パンチ／版曲げ装置１６では、印刷版１２にノッチ２４Ａ、２４Ｂ及び曲げ部２６Ａ、２６Ｂを形成すると、印刷版１２を幅方向に沿って搬送して、印刷版集積装置１０へ送り出す。
【００６９】
印刷版集積装置１０では、エアシリンダ６６のロッド６６Ａを伸長させて、揺動コンベア３２を略水平状態として待機しており、製版システム１４のパンチ／版曲げ装置１６からパンチ及び版曲げ処理の終了した印刷版１２が送り出されると、この印刷版１２を搬送ベルト６２に載置する。また、印刷版集積装置１０では、図示しないセンサによって印刷版１２がパンチ／版曲げ装置１６から送り出されるか、搬送ベルト６２に載置されるのを検出すると、搬送モータ４８を駆動する。
【００７０】
これにより、揺動コンベア３２の搬送ベルト６２に載置された印刷版１２は、揺動アーム５６の先端のストッパ６４へ向けて移動し、幅方向の端部がストッパ６４に当接した位置で停止される。なお、印刷版集積装置１０では、搬送ベルト６２に印刷版１２を載置してから所定時間経過した後、または印刷版１２がストッパ６４に当接して停止したことを検出した後、などの所定のタイミングで停止する。
【００７１】
一方、可動シュート３４は、エアシリンダ７６のロッド７６Ａを収縮させて支持アーム７０を支持脚４０側に傾斜した状態で待機しており、印刷版集積装置１０では、揺動コンベア３２の所定の位置に印刷版１２を載置すると、エアシリンダ６６のロッド６６Ａを収縮し、印刷版１２を載置している揺動コンベア３２をシャフト４６を軸にして揺動させる。
【００７２】
これにより、揺動コンベア３２の揺動アーム５６が、可動シュート３４の支持アーム７０と交差することにより、揺動コンベア３２に載置されている印刷版１２が支持アーム７０とストッパ７０Ａに支持されて可動シュート３４へ受け渡される。
【００７３】
印刷版集積装置１０では、印刷版１２が揺動コンベア３２から可動シュート３４へ受け渡されると、エアシリンダ７６を駆動してロッド７６Ａを伸長させ、可動シュート３４の支持アーム７０がシャフト７４を軸に回動して印刷版１２を起こし、印刷版１２を載置部３６の載置板８２に対向するように傾斜させる。
【００７４】
これにより、印刷版１２は、幅方向の一端側が受け板８４に支持されている状態で、載置板８２との間の略平行状態を保ちながら載置板８２へ倒れるように平行移動して、載置板８２に載置される。このとき、支持板８８と受け板８４の角度φが９０°以下となっているため、印刷版１２は、受け板８４に当接している印刷版１２の幅方向の端部が受け板８４に引っ掛かることがなく、載置板８２に対して略平行状態を保ったまま受け板８４上を移動する。また、印刷版１２は、支持板８８の上端のみならず下端にも確実に当接して支持される。
【００７５】
印刷版集積装置１０では、この印刷版１２の載置板８２への載置を所定の回数繰り返すことにより、所定枚数の印刷版１２が載置板８２上に集積される。
【００７６】
ところで、印刷版集積装置１０の載置部３６には、載置板８２上に印刷版支持部８６が設けられており、可動シュート３４によって載置板８２へ向けて倒された印刷版１２は、載置板８２との間が略平行に保たれた状態で載置板８２側へ移動することにより、先ず、天地方向の中間部の画像記録面２２が印刷版支持部８６の支持板８８に当接する。こののちに、印刷版１２は、支持体の剛性と自重によって天地方向の両端部側が載置板８２に接近して、所定の位置に停止する。
【００７７】
これにより、図７（Ａ）に示されるように、印刷版１２は、載置板８２と反対側へ向けて凸となるように湾曲され、曲げ部２６Ａ、２６Ｂの先端が支持板８８に支持された天地方向の中間部が載置板８２から離間する方向に突出することなく保持される。
【００７８】
一方、次の印刷版１２がパンチ／版曲げ装置１６から送り出されると、印刷版集積装置１０は、この印刷版１２も同様にして載置部３６の載置板８２に載せる。
【００７９】
ここで、図７（Ａ）ないし図７（Ｃ）を参照しながら、２枚目移行の印刷版１２の集積について説明する。
【００８０】
印刷版集積装置１０では、既に載置部３６に印刷版１２（以下「印刷版１２Ａ」とする）が載置されている状態で、新たな印刷版１２（以下「印刷版１２Ｂ」とする）を載置部３６に載置するときにも、揺動コンベア３２で印刷版１２Ｂを受け取ると、揺動コンベア３２を下方へ向けて揺動させて、印刷版１２Ｂを可動シュート３４へ受け渡す。この後、印刷版集積装置１０では、印刷版１２Ｂを受け取った可動シュート３４を、載置部３６へ向けて回動させる。
【００８１】
これにより、図７（Ａ）に示されるように、印刷版１２Ｂは、載置板８２と略平行となるように傾けられ、受け板８４に沿って略平行に載置板８２へ向けて移動する。
【００８２】
印刷版１２が載置板８２へ向けて略平行に移動することにより、図７（Ｂ）に示されるように、この印刷版１２Ｂは、画像記録面３２（図７（Ａ）乃至図７（Ｃ）の紙面下側の面）が、先ず、印刷版支持部８６の支持板８８によって突出されている印刷版１２Ａの天地方向の中間部に当接する。この後に、図７（Ｃ）に示されるように、印刷版１２Ｂは、天地方向の両端部が緩やかに湾曲し、印刷版１２Ｂの曲げ部２６Ａ、２６Ｂがそれぞれ、印刷版１２Ａの曲げ部２６Ａ、２６Ｂに接近して当接し、さらに、印刷版１２Ａ、１２Ｂの天地方向の両端部が一体で自重と支持体の剛性に応じた所定の位置または、載置板８２に当接する位置まで湾曲する。
【００８３】
これにより、印刷版１２Ａに重ねられた印刷版１２Ｂの天地方向の両端は、天地方向の中間部よりも載置板８２に接近した位置となり、集積部３６に所定の枚数の印刷版１２が集積されるまでは、新たな印刷版１２の天地方向の中間部が、天地方向の両端部よりも先に、既に積層されている印刷版１２の天地方向の中間部に当接するようになっている。
【００８４】
このように、印刷版集積装置１０では、印刷版１２を、天地方向の中間部が突出するように湾曲させて載置部３６に集積することにより、新たな印刷版１２が集積されるときに、この印刷版の天地方向の中間部が、先ず、既に積層されている印刷版１２に当接した後に、版曲げ処理が施されている印刷版１２の天地方向の両端部が、既に積層されている印刷版１２に重ねられるようにしている。
【００８５】
これにより、既に積層されている印刷版１２の天地方向の先端が、新たに積層される印刷版１２の画像記録面２２に当接するのが最後になり、曲げられた印刷版１２の天地方向の先端と、次の印刷版１２の画像記録面２２とが接触したときに、擦れ合うなどして画像記録面２２に傷等の損傷を生じさせてしまうことがない。
【００８６】
すなわち、曲げ部２６Ａ、２６Ｂを形成した印刷版１２をそのまま重ね合わせると、突出している先端が先に隣接して重ねられる印刷版１２の画像記録面２２に接触してしまうことになり、印刷版１２の天地方向の中間部が重なるときに、既に接触している印刷版１２の天地方向の先端と画像記録面２２とが擦れあって、画像記録面２２に損傷が生じるが、印刷版１２の曲げ部２６Ａ、２６Ｂ側が最後に接触するようにすることにより、重ね合わせられる一方の印刷版１２の天地方向の先端と、他方の印刷版１２の画像記録面２２との間に擦れ等を生じさせることがない。
【００８７】
一方、載置部３６に設けている印刷版支持部８６の支持板８８は、載置板８２からの高さＨ2を、曲げ部２６Ａの曲げ高さｈと載置部３６に集積する印刷版１２の枚数Ｘに基づいて設定されており、これにより、Ｘ枚目の印刷版１２を集積したときに、この印刷版１２の天地方向の中間部の載置板８２からの距離と、この印刷版１２の曲げ部２６Ａ側の先端の載置板８２からの距離が略同じになる。
【００８８】
すなわち、Ｘ枚目の印刷版１２を載置部３６に集積するときにも、この印刷版１２の天地方向の中間部が先に、既に積層されている印刷版１２に当接するので、曲げ部２６Ａの先端が画像記録面２２に当接するときに、画像記録面２２に損傷を生じさせることがない。
【００８９】
また、支持板８８の受け板８４からの高さＨ1は、印刷版１２に形成しているノッチ２４Ａ、２４Ｂの位置よりも高くなるようにしている。これにより、支持板８８の長さを必要以上に長くすることなく、印刷版１２を安定した状態で支持できるようにしている。また、支持板８８の上端がノッチ２４Ａ、２４Ｂの位置よりも高いため、印刷版１２がノッチ２４Ａ、２４Ｂが形成されている位置で折れが生じたり、ノッチ２４Ａ、２４Ｂの周囲で印刷版１２の支持体にねじれ等が生じて、ノッチ２４Ａ、２４Ｂが変形したしまう等の損傷が生じてしまうのを防止することができる。
【００９０】
このように、印刷版集積装置１０では、印刷版支持部８６を設けることにより、所定枚数の印刷版１２に損傷等を生じさせることなく安定した状態で集積することができる。また、印刷版集積装置１０では、印刷版支持部８６を設けることにより、載置部３６に集積した印刷版１２の天地方向の中間部と載置板８２の間に隙間を生じさせることができる。これにより、印刷版１２を載置部３６から取り出すときに、印刷版１２と載置板８２の間に容易に手を差し入れることができ、印刷版１２の取出しが容易となる。
【００９１】
なお、以上説明した本実施の形態は、本発明の一例を示すものであり、本発明の構成を限定するものではない。例えば、本実施の形態では、２Ｌ１Ｗサイズの印刷版１２の集積を例に説明したが、図８に示される２Ｌ２Ｗサイズの印刷版１００の集積に用いることができる。この印刷版１００には、例えば、天地方向の一端側となるクワエ側に、ノッチ１０２Ａ、１０４Ａ、１０６Ａと曲げ部１０８Ａが形成され、他端側となるクワエ尻側にノッチ１０２Ｂ、１０４Ｂ、１０６Ｂと曲げ部１０８Ｂが形成される。ノッチ１０２Ａ、１０４Ａ、１０６Ａ及びノッチ１０２Ｂ、１０４Ｂ、１０６Ｂ間隔は、幅寸法をｗ1としたときｗ1／４としている。
【００９２】
このような印刷版１００を集積する場合、支持板８８の受け板８４からの高さＨ1をｗ1／２以上、より好ましくはｗ1×３／４以上とすれば良い。
【００９３】
また、本実施の形態では、載置板８２の天地方向に沿った寸法を、印刷版１２の天地方向に沿った寸法と略同じにするか、僅かに長くするようにし、印刷版１２の天地方向の端部が載置板８２から突出してしまうことがないようにしたが、図９に示されるように、湾曲した印刷版１２の天地方向の両端部の曲げ部２６Ａ、２６Ｂが外れるように寸法を短くした載置板１１０を用いても良い。
【００９４】
これにより、載置板１１０からの支持板１１６の高さＨ2（図９では図示省略、図４参照）に拘らず所定枚数の印刷版１２を集積することができる。このとき、例えば、印刷版１２の天地方向に沿った長さが支持板８８よりも長い支持板１１６を用いた印刷版支持部１１４を設けることにより、印刷版１２を確実に支持すると共に、印刷版１２を湾曲させるときに曲率が小さいくなるのを抑えることができる。
【００９５】
なお、この場合は、印刷版１２が湾曲したときに、曲率が小さくなりすぎて印刷版１２の支持体に折れや感光層の亀裂等の損傷が生じないように支持板８８の天地方向に沿った寸法や集積する印刷版１２の枚数を設定することが好ましい。また、載置板１１０から外れた印刷版１２の天地方向の端部（曲げ部１０８Ａ、１０８Ｂ側）に、印刷版集積装置の近傍を通過する作業員や機材等などが触れてしまうことによる印刷版１２の損傷を防止するために、保護フレーム１１２を設けることが好ましい。
【００９６】
すなわち、本発明は、印刷版を所定の角度で傾斜させて集積するときに、少なくとも印刷版の天地方向である横方向に沿った中間部を支持し、印刷版が凸状となるように湾曲させるものであれば良い。
【００９７】
【発明の効果】
以上説明したように本発明によれば、印刷版を凸状に湾曲させた状態で集積するので、印刷版に形成した曲げ部の先端が隣接する印刷版の感光層に接触して擦れるなどして、印刷版を損傷させてしまうのを確実に防止しながら集積することができると言う優れた効果を有する。
【図面の簡単な説明】
【図１】本実施の形態に適用した印刷版集積装置と印刷版集積装置が用いられる製版システムの一部を示す概略斜視図である。
【図２】（Ａ）及び（Ｂ）は印刷版集積装置に集積される印刷版を示し、（Ａ）は印刷版の概略平面図、（Ｂ）は印刷版の概略斜視図である。
【図３】本実施の形態に適用した印刷版集積装置を示す斜視図である。
【図４】印刷版集積装置の概略構成図であり、パンチ／版曲げ装置から印刷版を受け取る状態を示している。
【図５】印刷版集積装置の概略構成図であり、揺動コンベアから可動シュートへ印刷版を受け渡す状態を示している。
【図６】印刷版集積装置の概略構成図であり、可動シュートから載置部へ印刷版を受け渡す状態を示している。
【図７】（Ａ）乃至（Ｃ）は、可動シュートから載置部への印刷版の載置の流れを示す略上方から見た要部概略図であり、（Ａ）は印刷版を載置板に対向するように傾斜させた状態を示し、（Ｂ）は印刷版の天地方向の中間部が支持板に支持されている印刷版に載った状態を示し、（Ｃ）は印刷版の曲がり部も含めて支持板に支持されている印刷版に載った状態を示している。
【図８】本実施の形態に適用した印刷版と異なるサイズの印刷版の一例を示す概略平面図である。
【図９】印刷版の天地方向に沿った長さを短くした載置板を用いた載置部の一例を示す略上方側から見た概略図である。
【符号の説明】
１０    印刷版集積装置
１２    印刷版
１６    パンチ／版曲げ装置
２４Ａ、２４Ｂ    ノッチ（切り欠き）
２６Ａ、２６Ｂ    曲げ部
３２    揺動コンベア（受渡し手段）
３４    可動シュート（受渡し手段）
３６    載置部（印刷版載置部）
８２    載置板
８４    受け板
８６    印刷版支持部（印刷版支持手段）
８８    支持板
９２    緩衝部材
【図１】
0004011803.tif 000002
【図２】
0004011803.tif 000003
【図３】
0004011803.tif 000004
【図４】
0004011803.tif 000005
【図５】
0004011803.tif 000006
【図６】
0004011803.tif 000007
【図７】
0004011803.tif 000008
【図８】
0004011803.tif 000009
【図９】
0004011803.tif 000010